(57)【特許請求の範囲】
【請求項１】
外部記憶媒体内の静止画データおよび動画データを読み出すための外部記憶媒体インターフェースと、
前記静止画データおよび前記動画データを再生する再生手段と、
前記再生手段によって再生された画像を表示する画像出力手段と、
放送受信手段と、
前記画像出力手段に前記静止画データと前記動画データのいずれを表示させるかを指定する画像指定情報と、表示装置が横置きか縦置きかを区別する配置向き情報とが格納されている記憶手段と、
前記記憶手段内の前記画像指定情報を参照し、前記画像指定情報に指定された内容に従って前記外部記憶媒体内の前記静止画データまたは前記動画データを前記再生手段に再生させる処理を、装置起動に伴って行う、装置制御手段と、
前記記憶手段内の前記配置向き情報を参照し、前記配置向き情報に基づいて、前記放送受信手段によって受信された放送データによる画像と、前記再生手段によって再生された前記画像とを同一画面上にレイアウトし、当該レイアウトした画像の画像出力信号を前記画像出力手段に出力することによって、前記レイアウトした画像を前記画像出力手段に表示させる出力手段と
を備える表示装置。
【請求項２】
請求項１に記載の表示装置であって、
前記装置制御手段は、前記再生手段による再生時間が所定時間を経過した場合に当該表示装置の電源をオフにする処理を行う、表示装置。
【請求項３】
請求項１または請求項２に記載の表示装置であって、
前記再生手段は、前記静止画データまたは前記動画データを予め設定された順序で繰り返し再生する、表示装置。
【請求項４】
請求項１ないし請求項３のうちのいずれか１項に記載の表示装置であって、
当該表示装置の周辺に人が存在するか否かを検知するセンサ手段をさらに備え、
当該表示装置は、
前記センサ手段によって無人状態が所定時間続いていることが検出された場合、前記画像出力手段の電源をオフにし、
前記画像出力手段の電源オフ後に前記センサ手段によって人が検知された場合、前記画像出力手段の電源をオンにするとともに、再生中の前記静止画データまたは前記動画データを先頭から再生し直す、
表示装置。
【請求項５】
請求項４に記載の表示装置であって、
前記動画データは、音声データを伴っており、
当該表示装置は、
前記再生手段によって再生された音声を出力する音声出力手段をさらに備え、
前記センサ手段によって無人状態が所定時間続いていることが検出された場合、再生中の前記動画データの音量を上げ、
前記画像出力手段の電源オフ後に前記センサ手段によって人が検知された場合、前記音声データの前記音量を戻す、
表示装置。
【発明の詳細な説明】
【技術分野】
【０００１】
本発明は表示装置、特にデジタルサイネージに利用可能な表示装置に関する。
【背景技術】
【０００２】
近年、広告媒体として「デジタルサイネージ」と呼ばれる電子媒体が印刷媒体に替わりつつある。デジタルサイネージに関連した技術が下記特許文献１，２に開示されている。
【０００３】
特許文献１には、コンテンツ配信管理センタとサイネージ端末とがインターネットなどで接続されたオンデマンドサイネージシステムが開示されている。特に、コンテンツ配信管理センタは、広告サーバからの広告情報と番組サーバからの番組情報を組み合わせて編集したコンテンツ、各種ＩＤ情報、および、該コンテンツの表示時刻別視聴効果指数を蓄積しているノードのアドレスをサイネージ端末に配信する。サイネージ端末は、配信された各種ＩＤ情報と視聴効果指数情報から、表示時刻毎の要求に合致した情報を蓄積しているノードのアドレスを選択して該ノードにアクセスし、表示時刻別に該コンテンツを取得して表示する。また、サイネージ端末は、カメラ機能を有しており、視聴者効果指数を取得してコンテンツ配信管理センタに送信する。コンテンツ配信管理センタは該視聴効果指数を受信する。
【０００４】
これによれば、ネットワークを介して各種情報やコンテンツを取得したり、視聴者の反応を管理センタへフィードバックすることによって、サイネージ端末ごとにきめ細かいサービスを提供可能であると考えられる。
【０００５】
特許文献２には、デジタルサイネージに利用される表示装置が開示されている。当該表示装置は、計時情報を生成する計時部と、上記計時情報と再生指示データ（記憶部または着脱可能な携帯型情報記憶媒体に記憶され、上記計時情報と再生対象データとが対応付けられたデータ）とに基づき携帯型情報記憶媒体に記憶された複数種の再生対象データから適用する再生対象データを選択する選択部と、当該選択部によって選択された再生対象データに基づき画像を生成する画像生成部と、当該画像を表示する表示部とを有している。
【０００６】
これによれば、ネットワーク環境が無くても表示装置だけでサイネージを実現可能であると考えられる。
【先行技術文献】
【特許文献】
【０００７】
【特許文献１】特開２０１０−３９７２６号公報
【特許文献２】特開２０１０−１９０９５４号公報
【特許文献３】特許第４３３７７２７号公報
【発明の概要】
【発明が解決しようとする課題】
【０００８】
特許文献１のシステムをはじめとする一般的なサイネージシステムでは、ネットワークを介してコンテンツ配信サーバから受信したコンテンツを表示する。このようなシステムは、例えば、ディスプレイの数が多い場合や、ディスプレイの設置場所が全国各地に離れている場合に有用であると考えられる。
【０００９】
しかし、ネットワークを利用したサイネージシステムは、小規模用途、例えば小規模店舗等で商品の説明や宣伝を行う用途に対しては、不向きな場合がある。なぜならば、システムの導入コストが高くなってしまうからである。また、サーバの運用・保守も必要となるため、設置後のランニングコストも大きな負担となる。また、ネットワーク通信のためにパーソナルコンピュータも設ける必要があるので、コスト、設置スペース、操作等についてさらに負担となる。
【００１０】
ネットワークを利用しない構成として、例えば、一般のテレビの外部入力にＤＶＤやＢＤ等の再生機器を接続し、繰り返し再生を行う構成が考えられる。しかし、２台の機器を用いることは、それらの設置・接続の際に煩わしいし、又、再生する際にも両方の機器を操作しなければならないので煩わしい。また、店舗に２台の機器が在ると、見た目もあまりよくない。
【００１１】
ネットワークを利用しない他の構成例として、特許文献２に開示された構成が考えられる。しかし、特許文献２の表示装置については、利便性等の面で改善の余地があると考えられる。
【００１２】
本発明は、高い利便性と低いコストでデジタルサイネージに利用可能な表示装置を提供することを目的とする。
【課題を解決するための手段】
【００１３】
本発明の一態様によれば、外部記憶媒体内の静止画データおよび動画データを読み出すための外部記憶媒体インターフェースと、前記静止画データおよび前記動画データを再生する再生手段と、前記再生手段によって再生された画像を表示する画像出力手段と、放送受信手段と、前記画像出力手段に前記静止画データと前記動画データのいずれを表示させるかを指定する画像指定情報と、表示装置が横置きか縦置きかを区別する配置向き情報とが格納されている記憶手段と、前記記憶手段内の前記画像指定情報を参照し、前記画像指定情報に指定された内容に従って前記外部記憶媒体内の前記静止画データまたは前記動画データを前記再生手段に再生させる処理を、装置起動に伴って行う、装置制御手段と、前記記憶手段内の前記配置向き情報を参照し、前記配置向き情報に基づいて、前記放送受信手段によって受信された放送データによる画像と、前記再生手段によって再生された前記画像とを同一画面上にレイアウトし、当該レイアウトした画像の画像出力信号を前記画像出力手段に出力することによって、前記レイアウトした画像を前記画像出力手段に表示させる出力手段とを含んだ表示装置が提供される。
【発明の効果】
【００１４】
上記の一態様によれば、表示装置の起動に伴って、外部記憶媒体内の静止画データまたは動画データが自動的に再生される。したがって、電源投入という簡単な操作によって、外部記憶媒体内のデータの再生を開始させることができる。このため、電源投入のたびに再生操作を行う手間が省ける。また、仮に停電やシステム異常による再起動が発生した場合についても同様である。すなわち、利便性の高い表示装置を提供することができる。
【００１５】
例えば外部記憶媒体にデジタルサイネージ用（換言すれば電子広告用）の静止画データおよび動画データを予め格納しておくことによって、当該表示装置を自動的にデジタルサイネージ装置（換言すれば電子広告表示装置）として起動可能である。デジタルサイネージ装置は日々、使用するものなので、装置起動に伴う自動再生機能は特に有用である。
【００１６】
また、デジタルサイネージ用の静止画データおよび動画データを外部記憶媒体で供給することによって、導入コスト、運用コスト等を削減することができる。また、外部記憶媒体の利用によれば、特別な知識がないユーザでも手軽にサイネージ機能を利用することができる。かかる点からも、高い利便性を提供できる。
【００１７】
また、１つの筐体内に構成要素を収容すれば、複数の機器を接続する必要が無いし、複数の機器を接続した場合に比べて見た目も良い。
【００１８】
本発明の目的、特徴、局面、および利点は、以下の詳細な説明と添付図面とによって、より明白となる。
【図面の簡単な説明】
【００１９】
【図１】実施の形態について表示装置を例示するブロック図である。
【図２】実施の形態について外部記憶媒体内のデータを例示する模式図である。
【図３】実施の形態について記憶手段内のデータを例示する模式図である。
【図４】実施の形態についてサイネージ設定情報を例示する模式図である。
【図５】実施の形態について静止画ファイルリストを例示する模式図である。
【図６】実施の形態について静止画再生順リストを例示する模式図である。
【図７】実施の形態について静止画自動再生リストを例示する模式図である。
【図８】実施の形態についてサイネージ設定情報の設定作業を例示する模式図である。
【図９】実施の形態について起動時の動作を例示するフローチャートである。
【図１０】実施の形態について静止画＋放送モードにおける画面表示を例示する模式図である（画面が横長の場合）。
【図１１】実施の形態について静止画＋放送モードにおける画面表示を例示する模式図である（画面が縦長の場合）。
【図１２】実施の形態について電源自動オフ動作を例示するフローチャートである。
【図１３】実施の形態についてセンサ連動動作を例示するフローチャートである。
【発明を実施するための形態】
【００２０】
＜表示装置１００の構成＞
図１に、実施の形態に係る表示装置１００のブロック図を例示する。図１には説明のために、外部記憶媒体９０も併記している。外部記憶媒体９０は、表示装置１００に着脱可能な記憶媒体、例えばＳＤカード、メモリスティック、光ディスク等である。ここでは、外部記憶媒体９０にデジタルサイネージ用のデータが予め記録されており、表示装置１００が外部記憶媒体９０内のデータを再生することによって、当該表示装置１００がデジタルサイネージ装置、換言すれば電子広告表示装置として利用される場合を例示する。
【００２１】
ここで、図２に、外部記憶媒体９０に記憶されているデータを例示する。図２の例では、外部記憶媒体９０には複数の静止画データ９１と複数の動画データ９２が格納されている。なお、以下では、静止画データ９１を静止画ファイル９１と称する場合もあり、同様に動画データ９２を動画ファイル９２と称する場合もある。
【００２２】
データ９１，９２は画像に関する情報（換言すれば画像の再生に必要な情報）だけでなく、他の情報（例えば作品タイトル、作成日時、コメント等）を有していてもよい。また、動画データ９２が画像データだけでなく音声データも有する場合を例示するが、以下の例の一部については動画データ９２が音声データを有さない場合にも適用可能である。
【００２３】
図１の例によれば、表示装置１００は、装置制御手段１０２と、外部記憶媒体インターフェース１０４と、再生手段１０６と、出力手段１１２と、放送受信手段１１４と、画像出力手段１１６と、音声出力手段１１８と、センサ手段１２０と、記憶手段１２４と、操作手段１２６とを含んでいる。
【００２４】
なお、図１では符号１０２について「装置制御手段」を「装置制御」と表記しており、同様の表記手法を他の要素および他の図面についても用いる場合がある。また、図１では符号１０４について「外部記憶媒体インターフェース」を「Ｉ／Ｆ」と表記しており、以下の説明でも「Ｉ／Ｆ１０４」という表記を用いる場合がある。
【００２５】
以下に、これらの要素のそれぞれについて概説し、その後、表示装置１００の全体的な動作を例示する。
【００２６】
装置制御手段１０２は、表示装置１００における各種の処理、動作制御を行う。装置制御手段１０２による制御の具体例は後述する。
【００２７】
Ｉ／Ｆ１０４は、表示装置１００による外部記憶媒体９０へのアクセスを提供するインターフェースである。ここでは、Ｉ／Ｆ１０４が、外部記憶媒体９０からのデータの読み出しと、外部記憶媒体９０へのデータの書き込みとの両方を提供する場合を例示する。但し、後述の動作例では、Ｉ／Ｆ１０４は少なくとも読み出し動作が可能であればよい。
【００２８】
再生手段１０６は、画像データおよび音声データを再生可能に構成されている。再生手段１０６は、Ｉ／Ｆ１０４を介して外部記憶媒体９０にアクセス可能に設けられており、これにより外部記憶媒体９０内の静止画データ９１および動画データ９２を読み出して再生することができる。
【００２９】
再生手段１０６は、図１の例では、再生管理手段１０８と、再生処理手段１１０とを含んでいる。再生管理手段１０８は、例えば、再生処理手段１１０による処理の管理、各種情報の生成・管理、等を行う。再生管理手段１０８による処理の具体例は後述する。再生処理手段１１０は、再生対象の画像データおよび音声データをデコードする。なお、再生処理手段１１０は、外部記憶媒体９０内の再生対象データ９１，９２を再生管理手段１０８を介して取得してもよいし、あるいは、再生管理手段１０８を介さずに再生対象データ９１，９２を取得してもよい。
【００３０】
出力手段１１２は、再生手段１０６によってデコードされたデータ１６２から、画像出力手段１１６を駆動するための駆動信号（換言すれば画像出力信号）１６４ａと、音声出力手段１１８を駆動するための駆動信号（換言すれば音声出力信号）１６４ｂとを生成する。また、出力手段１１２は、放送受信手段１１４によって受信された放送データ１７０についても、画像出力信号１６４ａと音声出力信号１６４ｂを生成する。なお、画像出力信号１６４ａと音声出力信号１６４ｂを総称して、出力信号１６４と称することにする。
【００３１】
出力手段１１２は、静止画データ９１および動画データ９２によって（より具体的には、デコードされたデータ１６２によって）提供される画像の大きさを、画像出力手段１１６における表示エリアの大きさに合わせてスケーリングする機能を有している。かかるスケーリング処理は、放送データ１７０に対しても実行可能である。
【００３２】
また、出力手段１１２は、例えば、上記データ１６２，１７０による画像をレイアウト合成する機能を有しており、レイアウト合成された画像のデータを画像出力信号１６４ａとして出力する。
【００３３】
出力手段１１２の各種機能は、必要に応じて、自動的にまたはユーザの指示によって利用される。
【００３４】
放送受信手段１１４は、いわゆる受信機であり、所定方式の放送（例えばデジタル方式のテレビ放送）を受信可能に構成されている。より具体的には、放送受信手段１１４は、選局されたチャンネルの信号を受信し、抽出したＴＳ（トランスポートストリーム）から画像、音声およびデータの各パケットに分離し、分離した画像および音声のパケットに対してデコード処理を行う。そして、放送受信手段１１４は、かかる受信処理によって得られた画像および音声のデータを放送データ１７０として、上記のように出力手段１１２へ出力する。
【００３５】
画像出力手段１１６は、例えば液晶パネル、プラズマディスプレイパネル（ＰＤＰ）等の画像形成装置によって構成される。画像出力手段１１６は、出力手段１１２から画像出力信号１６４ａを受け取り、当該信号１６４ａに基づいて画像出力動作を行う。これにより、画像出力信号１６４ａによって提供される画像が、画像出力手段１１６に表示される。
【００３６】
音声出力手段１１８は、例えばスピーカ等の音声形成装置によって構成される。音声出力手段１１８は、出力手段１１２から音声出力信号１６４ｂを受け取り、当該信号１６４ｂに基づいて音声出力動作を行う。これにより、音声出力信号１６４ｂによって提供される音声が、音声出力手段１１８から発せられる。なお、表示装置１００が音声データを扱わない場合、音声出力手段１１８を省略することも可能である。
【００３７】
センサ手段１２０は、表示装置１００の周辺に（より具体的にはセンサ手段１２０によって検知可能な所定の範囲内に）人が存在するのかを検知し、その検知結果に応じた信号を出力するように構成されている。また、センサ手段１２０は、検知された人と表示装置１００との距離を測定する機能を有していれば、より好ましい。
【００３８】
センサ手段１２０は、例えば、ＣＣＤカメラと、当該ＣＣＤカメラで撮像された画像から人の存在判定、距離測定等の処理を行う解析手段とを含んで構成される。かかる構成例は例えば上記特許文献３に紹介されている技術を利用して具現可能である。また、センサ手段１２０に、例えば、赤外線センサ、超音波センサ等を利用した各種の公知技術を採用することも可能である。
【００３９】
記憶手段１２４は、１つまたは複数の記憶装置（例えば、ＲＯＭ（Read Only Memory）、ＲＡＭ（Random Access Memory）、書き換え可能な不揮発性メモリ（ＥＰＲＯＭ（Erasable Programmable ROM）等）によって構成可能である。なお、複数の記憶装置が設けられる場合、これらを総称して記憶手段１２４と称することにする。
【００４０】
記憶手段１２４は、装置制御手段１０２等がアクセス可能に設けられており、各種データ等を記憶するために利用される。但し、図１では、図面の煩雑化を避けるため、装置制御手段１０２等と記憶手段１２４とを繋ぐ矢印の詳細な図示は省略している。
【００４１】
ここで、装置制御手段１０２による各種処理は、例えば、マイクロプロセッサ（ＭＰＵ、ＣＰＵ、マイクロコンピュータとも称される）が所定のプログラムに記述された処理ステップ（換言すれば処理手順）を実行することによって、具現可能である。なお、マイクロプロセッサは例えばマルチプロセッサまたはマルチコアの構成を採用することも可能である。この場合、記憶手段１２４は、上記のように各種データ等を記憶する他に、上記プログラムを記憶し、また、プログラムを実行するための作業領域を提供する。
【００４２】
かかる例によれば装置制御手段１０２による各種処理はソフトウェアによって具現化されるが、当該各種処理の一部または全部をハードウェアによって実現することも可能である。また、再生手段１０６等による各種処理も、同様に、ソフトウェアまたはハードウェアまたはそれらの組み合わせによって具現可能である。
【００４３】
操作手段１２６は、表示装置１００とユーザとを繋ぐマン・マシン・インターフェースである。操作手段１２６から入力されたユーザ指示は、装置制御手段１０２へ伝達され、各種処理に供される。なお、図１では、図面の煩雑化を避けるため、操作手段１２６と装置制御手段１０２とを繋ぐ矢印の詳細な図示を省略している。ここでは、操作手段１２６としてリモートコントローラ（以下、リモコンとも称する）を例示し、操作手段１２６をリモコン１２６とも称する。但し、操作手段１２６は例えば装置筐体に設けられる操作パネル等であってもよい。
【００４４】
ここで、例えば画像出力手段１１６、音声出力手段１１８、放送受信手段１１４、リモコン１２６等は、一般のテレビに搭載されている手段を利用可能である。かかる点に鑑みると、一般のテレビに上記の他の要素１０２等を組み込むことによって、一般のテレビを流用して表示装置１００を実現することが可能である。
【００４５】
図３に、記憶手段１２４に記憶されているデータを例示する。図３の例では、記憶手段１２４には、サイネージ設定情報２００と、静止画ファイルリスト２１０と、動画ファイルリスト２２０と、静止画再生順リスト２３０と、動画再生順リスト２４０と、静止画自動再生リスト２５０と、動画自動再生リスト２６０とが格納されている。
【００４６】
＜サイネージ設定情報２００＞
図４に、サイネージ設定情報２００を例示する模式図を示す。サイネージ設定情報２００は、表示装置１００をサイネージ装置（換言すれば電子広告表示装置）として利用するか否かに関する情報、および、表示装置１００をサイネージ装置として利用する場合の各種設定に関する情報の総称である。サイネージ設定情報２００の内容は、例えばユーザがリモコン１２６を操作することによって設定可能である（後述する）。
【００４７】
サイネージ設定情報２００は、図４の例では、サイネージモード情報２０１と、電源オフ時間情報２０２と、センサ動作情報２０３とを含んでいる。なお、これらの情報２０１，２０２，２０３は、１つのファイル内に記述されていてもよいし、あるいは、別々のファイルに記述されていてもよい。
【００４８】
サイネージモード情報２０１は、表示装置１００をサイネージ装置として利用するか否かに関する情報である。ここでは４つの動作モードが例示され、このうちの１つのモードがサイネージモード情報２０１に設定される。但し、動作モードの数は、ここでの例に限定されるものではない。
【００４９】
第１の動作モードは、表示装置１００をサイネージ装置として利用しないモード、換言すればサイネージ機能がオフ状態のモードである。このモードでは、表示装置１００は、放送受信手段１１４によって受信された放送を画像出力手段１１６および音声出力手段１１８によって出力する。このモードを「放送モード」とも称することにする。
【００５０】
第２の動作モードは、表示装置１００をサイネージ装置として利用するモード（換言すれば、サイネージ動作を行うモード）であり、特に外部記憶媒体９０内の静止画データ９１を画像出力手段１１６によって出力するモードである。このモードを「静止画モード」とも称することにする。
【００５１】
第３の動作モードは、表示装置１００をサイネージ装置として利用するモードであり、特に外部記憶媒体９０内の動画データ９２を画像出力手段１１６および音声出力手段１１８によって出力するモードである。このモードを「動画モード」とも称することにする。
【００５２】
第４の動作モードは、表示装置１００をサイネージ装置として利用するモードであり、特に外部記憶媒体９０内の静止画データ９１と、放送受信手段１１４によって受信された放送データ１７０とを合成して同時に、画像出力手段１１６および音声出力手段１１８によって出力するモードである。このモードを「静止画＋放送モード」とも称することにする。
【００５３】
例えば、放送モードに対しては設定値“０”が割り当てられており、同様に、静止画モード、動画モードおよび静止画＋放送モードには設定値“１”，“２”および“３”がそれぞれ割り当てられている。サイネージモード情報２０１（より具体的には当該情報２０１に対応するデータの値）をいずれかの値に設定することによって、動作モードを指定することができる。
【００５４】
かかる例に鑑みると、サイネージモード情報２０１は、外部記憶媒体９０内の静止画データ９１と動画データ９２のいずれを表示させるかを指定する情報（画像指定情報）として把握される。なお、上記例では放送モードも選択可能であるため、当該画像指定情報は、外部記憶媒体９０内の静止画データ９１と動画データ９２のいずれも表示しないという情報もさらに含むことが可能である。
【００５５】
電源オフ時間情報２０２は、サイネージ動作を連続して行う（以下「連続モード」とも称する）か、あるいは、サイネージモードの開始後、一定時間が経過したならば電源をオフにする（以下「自動電源オフモード」とも称する）かに関する情報である。なお、自動電源オフモードによれば、電源オフに伴って、サイネージモード動作は終了する。
【００５６】
例えば、連続モードに対しては設定値“０”が割り当てられており、自動電源オフモードに対しては設定値“０”〜“２３”が割り当てられている。自動電源オフモードの設定値“１”〜“２３”は、サイネージ動作の開始から電源オフまでの時間に対応する。例えば、自動電源オフモードの設定値が“２”である場合、サイネージモード動作開始から２時間後に自動電源オフ機能が働く。電源オフ時間情報２０２（より具体的には当該情報２０２を対応するデータの値）をいずれかの値に設定することによって、連続モードまたは自動電源オフまでの時間を指定することができる。
【００５７】
なお、自動電源オフ時間の設定は、上記の１時間刻みの例に限定されるものではない。例えば３０分刻み、１分刻み等を採用してもよい。
【００５８】
センサ動作情報２０３は、サイネージ動作においてセンサ手段１２０を利用するか否かに関する情報である。センサ手段１２０を利用した動作については後述する。
【００５９】
例えば、センサ手段１２０を利用しないモード（以下「センサオフモード」とも称する）に対しては設定値“０”が割り当てられており、センサ手段１２０を利用するモード（以下「センサオンモード」とも称する）に対しては設定値“１”が割り当てられている。センサ動作情報２０３（より具体的には当該情報２０３を対応するデータの値）をいずれかの値に設定することによって、センサオフモードまたはセンサオンモードを指定することができる。
【００６０】
＜静止画ファイルリスト２１０および動画ファイルリスト２２０＞
図５に、静止画ファイルリスト２１０を例示する模式図を示す。静止画ファイルリスト２１０には、外部記憶媒体９０内の各静止画データ９１に関する各種情報が含まれる。静止画ファイルリスト２１０は、外部記憶媒体９０へアクセスして各種情報を取得することによって生成され、記憶手段１２４に保存される。
【００６１】
図５の例では、静止画ファイルリスト２１０は、インデックス番号２１１と、ファイル名２１２と、データ形式の種類（例えば拡張子の種類）２１３と、ファイルパス２１４と、再生時間２１５とに関する各情報を含んでいる。
【００６２】
インデックス番号２１１は、静止画ファイルリスト２１０の生成時に静止画データ９１毎に付与される情報である。ここでは、外部記憶媒体９０内の静止画データ９１をファイル名２１２がアルファベット順になるようにソートした場合における静止画データ９１の並び順がインデックス番号２１１に対応する例を挙げる。ファイル名２１２は、静止画データ９１毎に予め付与されている情報である。また、種類２１３は、各静止画データ９１の生成時に決まる内容であり、各静止画データ９１に付随している情報である。また、ファイルパス２１４は、各静止画データ９１を外部記憶媒体９０へ記憶させる際に決まる内容であり、例えば外部記憶媒体９０が有するファイル管理情報を参照することによって取得可能な情報である。再生時間２１５は、各静止画データ９１の再生を保持する時間、換言すれば静止画の連続表示時間であり、静止画データ９１毎に予め設定される情報である。
【００６３】
このように当該情報２１１〜２１５は静止画データ９１毎に存在し、静止画データ９１毎の当該情報２１１〜２１５が互いに関連付けられる形式で静止画ファイルリスト２１０に記録されている。
【００６４】
なお、例えば、静止画データ９１の作成日時の情報を静止画ファイルリスト２１０に含ませてもよい。
【００６５】
動画ファイルリスト２２０は、ここでは、静止画ファイルリスト２１０と同様の情報２１１〜２１５を含む場合を例示する。但し、インデックス番号２１１は、外部記憶媒体９０内の動画データ９２を作成日時が早い順になるようにソートした場合における動画データ９２の並び順に対応する例を挙げる。
【００６６】
＜静止画再生順リスト２３０および動画再生順リスト２４０＞
図６に、静止画再生順リスト２３０を例示する模式図を示す。静止画再生順リスト２３０には、外部記憶媒体９０内の静止画データ９１の再生順序を規定した情報が含まれる。静止画再生順リスト２３０は、例えばユーザがリモコン１２６を操作することによって作成され、記憶手段１２４に保存される。
【００６７】
図６の例では、静止画再生順リスト２３０は、インデックス番号２３１と、再生順序２３２と、再生時間２３３とに関する各情報を含んでいる。
【００６８】
インデックス番号２３１は、静止画ファイルリスト２１０（図５参照）のインデックス番号２１１に対応する。再生順序２３２は、外部記憶媒体９０内の静止画データ９１の再生順序を規定したデータであり、ユーザが設定可能である。再生時間２３３は、各静止画データ９１の再生を保持する時間、換言すれば静止画の連続表示時間であり、ユーザが設定可能である。再生順序２３２および再生時間２３３はインデックス番号２３１毎に設定され、これらの情報２３１〜２３３が互いに関連付けられる形式で静止画再生順リスト２３０に記録されている。
【００６９】
動画再生順リスト２４０は、ここでは、静止画再生順リスト２１０と同様の情報２３１〜２３３を含む場合を例示する。但し、動画データ９２の再生時間（すなわちコンテンツの時間長さ）は予め決まっているので、静止画データ９１とは異なり再生時間を設定する必要性が低い。このため、動画再生順リスト２４０に再生時間２３３の情報を含ませなくても構わない。換言すれば、再生時間２３３の情報が含まれていても、動画データ９２に予め記録されている再生時間の情報を優先的に利用するものとする。
【００７０】
＜静止画自動再生リスト２５０および動画自動再生リスト２６０＞
図７に、静止画自動再生リスト２５０を例示する模式図を示す。静止画自動再生リスト２５０は、再生手段１０６が、外部記憶媒体９０内の静止画データ９１を自動再生する際に利用する情報である。静止画自動再生リスト２５０は、静止画ファイルリスト２１０（図５参照）と静止画再生順リスト２３０（図６参照）とを、同じ値のインデックス番号２１１，２３１を仲介としてマージすることによって生成され、記憶手段１２４に保存される。
【００７１】
図７の例では、静止画自動再生リスト２５０は、再生順序２５１と、データ形式の種類２５２と、ファイルパス２５３と、再生時間２５４とに関する各情報を含んでいる。再生順序２５１は、静止画再生順リスト２３０（図６参照）の再生順序２３２に対応する。データ形式種類２５２およびファイルパス２５３は、静止画ファイルリスト２１０（図５参照）のデータ形式種類２１３およびファイルパス２１４に対応する。
【００７２】
再生時間２５４は、静止画ファイルリスト２１０（図５参照）の再生時間２１５、または、静止画再生順リスト２３０（図６参照）の再生時間２３３に対応する。より具体的には、静止画ファイルリスト２１０（図５参照）の再生時間２１５と、静止画再生順リスト２３０（図６参照）の再生時間２３３とのうちで、予め規定された方のデータが優先的に静止画自動再生リスト２５０に組み込まれる。なお、かかる点に鑑みると、静止画ファイルリスト２１０（図５参照）に再生時間２１５の情報を含ませないという使用方法を採用可能である（これによれば、外部記憶媒体９０に該再生時間２１５の情報を含ませる必要がなくなる）。あるいは、例えば、静止画再生順リスト２３０（図６参照）に再生時間２３３の情報を含ませないという使用方法も採用可能である。
【００７３】
動画自動再生リスト２６０は、ここでは、静止画自動再生リスト２５０と同様に生成され、同様の情報２５１〜２５４を含む場合を例示する。但し、再生時間２５４は、動画ファイルリスト２２０に含まれる再生時間、換言すれば動画データ９２のコンテンツの時間長さに対応する。
【００７４】
＜サイネージ設定情報２００の設定方法＞
図８に、サイネージ設定情報２００（図４参照）の設定作業を例示する模式図を示す。図８には、該設定作業時における画像出力手段１１６の画面表示の遷移を例示している。
【００７５】
図８において、画面３０１は、放送モードでのメニュー画面を例示している。メニュー画面３０１は、例えば、放送モードで動作している状態でリモコン１２６（図１参照）の「メニュー」ボタンを押下することによって、呼び出すことができる。
【００７６】
メニュー画面３０１が表示されている状態でリモコン１２６のボタンを予め規定された手順で操作すると、サイネージ設定画面３０２が現れる（サイネージ設定モード）。例えばリモコン１２６の「←」ボタン（左矢印ボタン）、「→」ボタン（右矢印ボタン）、「←」ボタン、「→」ボタン、「決定」ボタンをこの順序で押下することによってサイネージ設定画面３０２が読み出されるように、予め設定されている。
【００７７】
図８の例では、サイネージ設定画面３０２に「サイネージモード」、「電源オフ時間」および「センサ動作」の３つの設定項目が表示される。これらの３つの項目は、リモコン１２６の「↑」ボタン（上矢印ボタン）と「↓」ボタン（下矢印ボタン）によって順番に選択することができ（項目選択モード）、「決定」ボタンの押下によって、選択状態にある項目の設定変更モードに移行する。画面３０３は、サイネージ設定情報２０１（図４参照）の設定変更モードにおける画面を例示している。
【００７８】
設定変更モードでは、リモコン１２６の「↑」ボタンと「↓」ボタンで設定値を変更することができ、「決定」ボタンの押下によって、選択状態にある設定が確定するとともに、設定変更モードが終了して項目選択モードへ戻る。画面３０４は設定変更後の画面を例示している。
【００７９】
図８の例によれば、サイネージモードが「放送」モードから「動画」モードに変更されている（画面３０２〜３０４参照）。他の項目の設定値（図４参照）も同様に変更可能である。
【００８０】
項目選択モード中にリモコン１２６の「戻る」ボタンが押下されると、サイネージ設定モードを終了して、メニュー画面３０１へ戻る。
【００８１】
＜起動時の動作＞
図９に、表示装置１００の起動時の動作ＳＴ１００のフローチャートを例示する。図９および上記の図１等を参照して、当該動作ＳＴ１００を説明する。
【００８２】
図９の例によれば、表示装置１００の電源が投入されると、装置制御手段１０２が起動する（ステップＳＴ１０１）。装置制御手段１０２は、起動後、記憶手段１２４からサイネージ設定情報２００のうちのサイネージモード情報２０１を取得する（ステップＳＴ１０２）。そして、装置制御手段１０２は、サイネージモード情報２０１に設定された上記４つの動作モードを判別し、設定された動作モードに応じた処理を実行する（ステップＳＴ１０３）。
【００８３】
サイネージモード情報２０１が放送モードに設定されている場合、装置制御手段１０２は、放送受信手段１１４へ受信指示１６８を出力する（ステップＳＴ１１０）。放送受信手段１１４は、受信指示１６８を受け取ると、直近の電源オフ時に選局されていたチャンネルの放送に対して上記受信処理を行い、放送データ１７０を出力手段１１２へ出力する（ステップＳＴ１１１）。そして、放送データ１７０は、出力手段１１２を介して画像出力手段１１６および音声出力手段１１８によって出力される（ステップＳＴ１１２）。
【００８４】
上記ステップＳＴ１０３においてサイネージモード情報２０１が静止画モードまたは動画モードに設定されていると判別された場合、装置制御手段１０２は、再生手段１０６へ再生指示１５０を出力する（ステップＳＴ１２０）。
【００８５】
再生手段１０６は、再生指示１５０を受け取ると、ファイルリスト２１０，２２０を生成し（ステップＳＴ１２１）、自動再生リスト２５０，２６０を生成し（ステップＳＴ１２２）、自動再生リスト２５０，２６０に従って再生を行う（ステップＳＴ１２３）。そして、静止画データ９１は画像出力手段１１６によって出力され、動画データ９２は画像出力手段１１６および音声出力手段１１８によって出力される（ステップＳＴ１２４）。なお、ステップＳＴ１２３，ＳＴ１２４が繰り返されることによって、繰り返し再生が行われる。
【００８６】
より具体的には、再生管理手段１０８は、再生指示１５０を受け取ると、Ｉ／Ｆ１０４にデータ取得要求１５２を出力する。Ｉ／Ｆ１０４は、データ取得要求１５２を受け取ると、外部記憶媒体９０に読み出しコマンド１５４を出力する。外部記憶媒体９０は、読み出しコマンド１５４に応答して、静止画データ９１および動画データ９２を読み出しデータ１５６としてＩ／Ｆ１０４へ転送する。Ｉ／Ｆ１０４は、受信した読み出しデータ１５６を、データ取得応答１５８として再生管理手段１０８へ転送する。なお、読み出されたデータ９１，９２は記憶手段１２４へ保存される。
【００８７】
再生管理手段１０８は、取得したデータのファイル名の拡張子部分を判別することによって、“ｂｍｐ”，“ｊｐｇ”，“ｐｎｇ”等の拡張子を有した静止画データ９１を抽出する。そして、再生管理手段１０８は、抽出した静止画データ９１のファイル名等の情報を取得し、静止画ファイルリスト２１０を生成する。このとき、再生管理手段１０８は、ファイル名がアルファベット順になるように静止画データ９１をソートして、インデックス番号２１１を付与する。
【００８８】
再生管理手段１０８は、同様にして、動画ファイルリスト２２０を生成する。このとき、再生管理手段１０８は、作成日時が早い順になるように動画データ９２をソートして、インデックス番号２１１を付与する。
【００８９】
また、再生管理手段１０８は、記憶手段１２４に予め格納されている静止画再生順リスト２３０を取得し、当該静止画再生順リスト２３０と上記静止画ファイルリスト２１０とを同じ値のインデックス番号２１１，２３１を仲介としてマージすることによって、静止画自動再生リスト２５０を生成する。再生管理手段１０８は、同様にして、動画自動再生リスト２６０を生成する。
【００９０】
そして、再生管理手段１０８は、サイネージモード情報２０１を参照することによって、静止画モードに設定されていると判別した場合、静止画自動再生リスト２５０の再生順序２５１が小さい順から再生対象データを選択し、選択した静止画データ９１についての再生開始指示１６０を再生処理手段１１０へ出力する。
【００９１】
他方、サイネージモード情報２０１が動画モードに設定されている場合、再生管理手段１０８は、動画自動再生リスト２６０の再生順序２５１が小さい順から再生対象データを選択し、選択した動画データ９２についての再生開始指示１６０を再生処理手段１１０へ出力する。
【００９２】
再生処理手段１１０は、受け取った再生開始指示１６０に基づいて再生対象の静止画データ９１または動画データ９２を取得し、取得したデータをデコードし、デコードしたデータ１６２を出力手段１１２へ転送する。出力手段１１２は、受け取ったデコードデータ１６２に基づいて出力信号１６４を生成する。生成された画像出力信号１６４ａは画像出力手段１１６によって画像に変換され、生成された音声出力信号１６４ｂは音声出力手段１１６によって音声に変換される。
【００９３】
ここで、再生管理手段１０８から再生処理手段１１０へ伝達される再生開始指示１６０の内容は種々に形成可能である。
【００９４】
例えば、再生開始指示１６０に、再生対象の静止画データ９１または動画データ９２を含ませてもよい。この場合、再生処理手段１１０は、再生開始指示１６０に含まれるデータ９１，９２を再生する。
【００９５】
あるいは、再生開始指示１６０に、再生対象データ９１，９２のファイル名を含ませてもよい。この場合、再生処理手段１１０は、記憶手段１２４へ取り込まれているデータ９１，９２の中から再生開始指示１６０で指定された静止画データ９１または動画データ９２を取得し、取得したデータを再生する。
【００９６】
あるいは、再生開始指示１６０に、再生対象データ９１，９２のファイルパスを含ませてもよい。この場合、再生処理手段１１０は、Ｉ／Ｆ１０４を介して外部記憶媒体９０へアクセスし、再生開始指示１６０に含まれていたファイルパスで指定される静止画データ９１または動画データを取得し、取得したデータを再生する。なお、この場合、外部記憶媒体９０内の全てのデータ９１，９２を事前に記憶手段１２４にダウンロードしておく必要がない。このためファイルリスト２１０，２２０を作成する際にも、データ９１，９２自体はダウンロードせずに、外部記憶媒体９０から必要な情報だけを収集するようにしてもよい。
【００９７】
なお、静止画データ９１の再生開始指示１６０には、再生時間２５４が含まれる。あるいは、再生処理手段１１０自身が静止画データ９１の再生時間２５４を、静止画自動再生リスト２５０、記憶手段１２４または外部記憶媒体９０から取得するようにしてもよい。
【００９８】
再生処理手段１１０は、静止画データ９１については、指定された再生時間２５４が経過すると、再生完了通知１６６を再生管理手段１０８へ出力する。他方、動画データ９２の場合、再生処理手段１１０は、ファイルの終端まで再生すると、再生完了通知１６６を再生管理手段１０８へ出力する。
【００９９】
再生管理手段１０８は、再生完了通知１６６を受け取ると、静止画モードの場合、静止画自動再生リスト２５０において次の再生順序のデータ９１の再生開始指示１６０を出力する。ここで、再生管理手段１０８は、最後の再生順序の静止画データ９１まで再生が済んだと判別した場合、先頭の再生順序へ戻って再生開始指示１６０を出力する。これにより、静止画データ９１が順番に、かつ、繰り返して再生される。動画モードの場合も同様にして、動画データ９２が順番に、かつ、繰り返して再生される。
【０１００】
上記ステップＳＴ１０３において静止画＋放送モードに設定されていると判別された場合、装置制御手段１０２は、再生手段１０６へ再生指示１５０を出力するとともに、放送受信手段１１４へ受信指示１６８を出力する。これにより上記ステップＳＴ１２１，ＳＴ１２２，ＳＴ１２３と上記ステップＳＴ１１１とが並列的に実行される（ステップＳＴ１３０）。
【０１０１】
静止画＋放送モードでは、出力手段１１２は、再生された静止画データ１６２と放送データ１７０の両方を取得することになる。出力手段１１２は、取得した両データ１６２，１７０を予め指定されたレイアウトに従って合成し、合成画像のデータを画像出力信号１６４ａによって出力し、放送の音声データを音声出力信号１６４ｂによって出力する（ステップＳＴ１３１）。これにより、合成画像が画像出力手段１１８によって表示され、放送の音声が音声出力手段１２０から発せられる（ステップＳＴ１３２）。
【０１０２】
ここで、図１０および図１１に静止画＋放送モードにおける画面表示を例示する。図１０は画像出力手段１１８の画面３１０が横長の場合を例示し、図１１は該画面３１０が縦長の場合を例示している。図１０の例では、横長の画面３１０において、左側に放送を表示する放送エリア３１２が横長に配置され、右側に静止画を表示する静止画エリア３１２が縦長に配置されている。図１１の例では、縦長の画面３１０において、中央に放送エリア３１２が横長に配置され、放送エリア３１２の上下に静止画エリア３１２が横長に配置されている。
【０１０３】
なお、例えば表示装置１００における画像出力手段１１８の設計上の配置向きによって、横長の画面３１０と縦長の画面３１０とを選択可能である。あるいは、表示装置１００を横置きまたは縦置きにすることによって、横長の画面３１０と縦長の画面３１０とを選択可能である。
【０１０４】
ここで、画面３１０が横長であるか、縦長であるかの区別に関する情報と、レイアウト合成の仕方に関する情報とを予め記憶手段１２４に格納しておき、これらの情報を起動時に装置制御手段１０２等が読み込むことによって、所望の画面表示を得ることが可能である。なお、これらの情報をサイネージ設定情報２００に加え、ユーザが設定できるようにしてもよい。
【０１０５】
起動時動作ＳＴ１００によれば、表示装置１００の起動に伴って、外部記憶媒体９０内の静止画データ９１または動画データ９２が自動的に再生される。したがって、電源投入という簡単な操作によって、外部記憶媒体９０内のデータ９１，９２の再生を開始させることができる。このため、電源投入のたびに再生操作を行う手間が省ける。また、仮に停電やシステム異常による再起動が発生した場合についても同様である。すなわち、表示装置１００は、高い利便性を有したデジタルサイネージ装置として利用可能である。デジタルサイネージ装置は日々、使用するものなので、装置起動に伴う自動再生機能は特に有用である。
【０１０６】
また、デジタルサイネージ用の静止画データ９１および動画データ９２を外部記憶媒体９０で供給することによって、ネットワーク接続が必要な構成に比べて、導入コスト、運用コスト等を削減することができる。また、外部記憶媒体９０の利用によれば、特別な知識がないユーザでも手軽にサイネージ機能を利用することができる。かかる点からも、高い利便性が得られる。
【０１０７】
また、１つの筐体内に装置制御手段１０２等を収容すれば、複数の機器を接続する必要が無いし、複数の機器を接続した場合に比べて見た目も良い。
【０１０８】
また、繰り返し再生（上記ステップＳＴ１２３，ＳＴ１２４の繰り返し）によれば、全ての静止画データ９１または全ての動画データ９２の再生が終わるたびに、再生操作をする必要がない。かかる点においても高い利便性が得られる。
【０１０９】
また、静止画データ９１による広告を放送と同時に表示する静止画＋放送モードによれば、例えば空港や病院の待合室等の大勢の人に注目されるテレビ画面上に広告を表示するという利用方法が考えられる。これによれば、広告に対する注目度を向上させることができる。
【０１１０】
＜自動電源オフ動作＞
図１２に、表示装置１００における自動電源オフ動作ＳＴ２００のフローチャートを例示する。図１２の例によれば、表示装置１００の電源が投入されると、装置制御手段１０２が起動する（ステップＳＴ２０１）。装置制御手段１０２は、起動後、記憶手段１２４からサイネージ設定情報２００のうちの電源オフ時間情報２０２を取得する（ステップＳＴ２０２）。そして、装置制御手段１０２は、電源オフ時間情報２０２の設定が連続モードであるか、自動電源オフモードであるかを判別する（ステップＳＴ２０３）。連続モードに設定されている場合は、自動電源オフ動作ＳＴ２００を終了する。
【０１１１】
他方、自動電源オフモードに設定されている場合、装置制御手段１０２は、電源オフ時間情報２０２に設定された時間が経過したか否かを判断する（ステップＳＴＳ２０４）。装置制御手段１０２は、設定時間が経過したと判断した場合、装置制御手段１０２は各部の終了処理を行い、表示装置１００の電源を切る（ステップＳＴ２０５）。これに対し、設定時間が経過していない場合、上記の時間経過判断ステップＳＴ２０４を再度行う。
【０１１２】
ここで、時間経過判断ステップＳＴ２０４は、例えば、装置制御手段１０２に設けられた、あるいは装置制御手段１０２とは別個に設けられた、タイマを利用して実行可能である。例えば、装置制御手段１０２が、起動に伴って定周期タイマをスタートさせ、定周期タイマがタイムアウトするたびに経過時間と設定時間とを比較することによって、ステップＳＴ２０４を実行可能である。
【０１１３】
このように自動電源オフ動作ＳＴ２００によれば、再生手段１０６による再生時間が所定時間を経過した場合に表示装置１００の電源がオフになるので、省エネルギーを図ることができる。
【０１１４】
＜センサ連動動作＞
図１３に、表示装置１００におけるセンサ連動動作ＳＴ３００のフローチャートを例示する。図１３の例によれば、表示装置１００の電源が投入されると、センサ手段１２０が起動する（ステップＳＴ３０１）。センサ手段１２０は、起動後、記憶手段１２４からサイネージ設定情報２００のうちのセンサ動作情報２０３を取得する（ステップＳＴ３０２）。そして、センサ手段１２０は、センサ動作情報２０３の設定がセンサオンモードであるか、センサオフモードであるかを判別する（ステップＳＴ３０３）。センサオフモードに設定されている場合は、センサ連動動作ＳＴ３００を終了する。他方、センサオンモードに設定されている場合、センサ手段１２０は人検知動作を開始する（ステップＳＴ３０４）。
【０１１５】
そして、センサ手段１２０は、当該センサ手段１２０による検知範囲において無人状態が予め設定された所定時間続いた（すなわち表示装置１００の周辺でコンテンツを視聴している人が所定時間居ない）と判断した場合（ステップＳＴ３０５）、出力手段１１２へ出力制御要求１７２を出力する（ステップＳＴ３０６）。例えば、出力制御要求１７２には人検知フラグが含まれており、無人状態の継続を通知する場合に当該フラグが“０”に設定される。
【０１１６】
出力手段１１２は、出力制御要求１７２を受け取ると、画像出力手段１１８への電力供給を停止する（ステップＳＴ３０７）。
【０１１７】
この際、画像表示は行われないが、再生手段１０６による再生処理は継続させるものとする。また、動画モードの場合、出力手段１１２は少なくとも音声出力信号１６４ｂを出力し続ける。この際、出力手段１１２は、音声出力手段１２０の音量を通常の場合（すなわち画像出力をする場合）よりも大きくする（ステップＳＴ３０７）。
【０１１８】
センサ手段１２０は、出力制御要求１７２の出力後、検知範囲内に人を検知した場合（すなわち無人状態が解消した場合）（ステップＳＴ３０８）、出力手段１１２へ出力制御要求１７２を出力する（ステップＳＴ３０９）。この際、人検知フラグは“１”に設定される。また、出力手段１１２へ先頭再生指示１７４を出力する（ステップＳＴ３０９）。
【０１１９】
出力手段１１２は、出力制御要求１７２を受け取ると、画像出力手段１１６への電力供給を再開する（ステップＳＴ３１０）。この際、動画モードの場合、大きくしていた音量を通常時の設定に戻す（ステップＳＴ３１０）。
【０１２０】
一方、再生手段１０６は、先頭再生指示１７４を受け取ると、再生中の静止画データ９１または動画データ９２の再生を、そのファイルの先頭からやり直す（ステップＳＴ３１１）。
【０１２１】
このようにセンサ連動動作ＳＴ３００によれば、無人状態が続く場合には画像出力手段の電源をオフにする。換言すれば、有人状態を選んで広告を表示することができる。このため、効率的な広告表示と省エネルギーの両方を図ることができる。
【０１２２】
また、無人状態の解消に伴って、無表示状態の画面に広告が現れることにより、広告への注目を集めることができる。また、無人状態の解消に伴って、再生中の静止画データ９１または動画データ９２を先頭から再生し直すので、広告の全容を提供することができる。このため、広告効果を期待できる。
【０１２３】
また、画像出力手段１１６の電源オフに伴って音量を上げることにより、聴覚的な広告効果を期待することができる。また、画像出力手段１１６の電源のオン／オフに伴って音量が変化するので、該音声に注目を向けさせることができる。
【０１２４】
本発明は詳細に説明されたが、上記した説明は、すべての局面において、例示であって、本発明がそれに限定されるものではない。例示されていない無数の変形例が、本発明の範囲から外れることなく想定され得るものと解される。
【符号の説明】
【０１２５】
９０  外部記憶媒体、９１  静止画データ、９２  動画データ、１００  表示装置、１０２  装置制御手段、１０４  外部記憶媒体インターフェース、１０６  再生手段、１１２  出力手段、１１４  放送受信手段、１１６  画像出力手段、１１８  音声出力手段、１２０  センサ手段、２００  サイネージ設定情報、２０１  サイネージモード情報（画像指定情報）、２０２  電源オフ時間情報、２０３  センサ動作情報、ＳＴ１００  起動時動作、ＳＴ２００  自動電源オフ動作、ＳＴ３００  センサ連動動作。
【図１】
0005701135.tif 000002
【図２】
0005701135.tif 000003
【図３】
0005701135.tif 000004
【図４】
0005701135.tif 000005
【図５】
0005701135.tif 000006
【図６】
0005701135.tif 000007
【図７】
0005701135.tif 000008
【図８】
0005701135.tif 000009
【図９】
0005701135.tif 000010
【図１０】
0005701135.tif 000011
【図１１】
0005701135.tif 000012
【図１２】
0005701135.tif 000013
【図１３】
0005701135.tif 000014